【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
アクセサリに設けられた第１のマウントとバヨネット結合できる第２のマウントを有する撮像装置であって、
前記第２のマウントは、前記第２のマウントが前記第１のマウントとバヨネット結合したときに前記第１のマウントに設けられた複数の接点面と電気的に接続されるように前記第２のマウントの円周方向に沿って配された、少なくとも４つ以上の偶数個である複数の接点ピンを有し、
正位置における前記撮像装置を前記第２のマウント側から見た場合に、前記第２のマウントの中心軸ら重力方向および当該重力方向とは反対方向に延びる線を第１のマウント中心線とし、前記中心軸を通り前記第１のマウント中心線と略直交する線を第２のマウント中心線とし、
前記複数の接点ピンは、互いに隣り合う接点ピン同士の距離が異なる接点ピンの組を含み、
前記複数の接点ピンは、前記第２のマウントの径方向において、前記第１のマウント中心線と重畳する第１の接点ピンを含み、
前記複数の接点ピンは、前記第２のマウントの円周方向における両端に位置し、前記第２のマウント中心線までの距離が略同一である第２の接点ピンおよび第３の接点ピンを含むことを特徴とする撮像装置。
【請求項２】
前記撮像装置は、前記第２のマウントの背面側に、前記撮像装置に設けられた撮像素子へと被写体の光学像を導く露光開口を有し、
前記第１の接点ピンは、前記複数の接点ピンのうちで、前記露光開口までの距離が最も離れていることを特徴とする請求項１に記載の撮像装置。
【請求項３】
前記第２の接点ピンおよび前記第３の接点ピンは、前記露光開口までの距離が略同一であることを特徴とする請求項２に記載の撮像装置。
【請求項４】
前記第２の接点ピンおよび前記第３の接点ピンは、前記第１のマウント中心線までの距離が略同一であることを特徴とする請求項１乃至３の何れか一項に記載の撮像装置。
【請求項５】
前記複数の接点ピンのうち、前記第１のマウント中心線を基準として分割された一方の領域に含まれる互いに隣接する接点ピン同士の距離が、前記第１のマウント中心線を基準として分割された他方の領域に含まれる互いに隣接する接点ピン同士の距離以上であることを特徴とする請求項１乃至４の何れか一項に記載の撮像装置。
【請求項６】
前記第２のマウントの円周方向において、前記第２の接点ピンと当該第２の接点ピンと隣接する接点ピンとがなす角度が、前記第３の接点ピンと当該第３の接点ピンと隣接する接点ピンとがなす角度よりも大きいことを特徴とする請求項１乃至５の何れか一項に記載の撮像装置。
【請求項７】
前記第１の接点ピンは、前記撮像装置と前記アクセサリとの通信に用いる端子であって、
前記第２の接点ピンは、前記撮像装置から前記アクセサリへの電源供給に用いる端子であって、
前記第３の接点ピンは、前記第２の接点ピンに対応したグランド端子であることを特徴とする請求項１乃至６の何れか一項に記載の撮像装置。
【請求項８】
前記第２の接点ピンは、前記第２のマウントと前記第１のマウントとのバヨネット結合のための相対的な回転方向において、前記第１のマウント側に設けられた複数の接点面と最後に接触する接点ピンであって、
前記第３の接点ピンは、前記第２のマウントと前記第１のマウントとのバヨネット結合のための相対的な回転方向において、前記第１のマウント側に設けられた前記複数の接点面と最初に接触する接点ピンであることを特徴とする請求項１乃至７の何れか一項に記載の撮像装置。
【請求項９】
前記撮像装置の前記正位置において、前記第２のマウント中心線を基準として前記第２のマウントを２つの領域に分けて、前記重力方向が含まれる領域を下側その反対側の領域を上側とし、前記複数の接点ピンは、前記下側の領域に含まれることを特徴とする請求項１乃至８の何れか一項に記載の撮像装置。
【請求項１０】
前記複数の接点ピンにおける、互いに隣り合う接点ピン同士の距離は、互いに隣り合う前記接点ピンの中心間の距離であることを特徴とする請求項１乃至９の何れか１項に記載の撮像装置。
【請求項１１】
前記複数の接点ピンにおける、互いに隣り合う接点ピン同士の距離は、互いに隣り合う前記接点ピンの導通部分同士の距離であることを特徴とする請求項１乃至９の何れか１項に記載の撮像装置。
【請求項１２】
前記複数の接点ピンにおける、互いに隣り合う接点ピン同士の距離は、前記撮像装置に前記アクセサリが装着された状態で、互いに隣り合う前記接点ピンおよび前記接点面の接続点間の距離であることを特徴とする請求項１乃至９の何れか１項に記載の撮像装置。
【請求項１３】
撮像装置に設けられた第１のマウントと結合できる第２のマウントを有するアクセサリであって、
前記第２のマウントは、前記第２のマウントが前記第１のマウントとのバヨネット結合したときに前記第１のマウントに設けられた複数の接点ピンと電気的に接続されるように前記第２のマウントの円周方向に沿って配された、少なくとも４つ以上の偶数個である複数の接点面を有し、
前記アクセサリにバヨネット結合された状態の前記撮像装置の正位置において、前記アクセサリを前記第２のマウント側から見た場合に、前記第２のマウントの中心軸から重力方向および当該重力方向とは反対方向に延びる線を第１のマウント中心線とし、前記中心軸を通り前記第１のマウント中心線と略直交する線を第２のマウント中心線とし、
前記複数の接点面は、少なくとも異なる幅の接点面を２つ以上含み、前記第１のマウントに前記第２のマウントが結合された状態で、前記第１のマウント中心線と重畳する第１の接点面と、前記第２のマウントの円周方向における両端に位置し、前記第２のマウント中心線までの距離が互いに略同一である第２の接点面および第３の接点面を含むことを特徴とするアクセサリ。
【請求項１４】
前記第１のマウントに前記第２のマウントが結合された状態で、前記第１の接点面は、前記複数の接点面のうちで、前記撮像装置に設けられた露光開口までの距離が最も離れていることを特徴とする請求項１３に記載のアクセサリ。
【請求項１５】
前記第１のマウントに前記第２のマウントが結合された状態で、前記第２の接点面および前記第３の接点面は、前記露光開口までの距離が略同一であることを特徴とする請求項１４に記載のアクセサリ。
【請求項１６】
前記第１のマウントに前記第２のマウントが結合された状態で、前記第２の接点面および前記第３の接点面は、前記第１のマウント中心線までの距離が略同一であることを特徴とする請求項１３乃至１５の何れか一項に記載のアクセサリ。
【請求項１７】
前記複数の接点面は、互いに隣り合う接点面同士の距離が異なる接点面の組を含み、保持される位置が前記光軸と平行な方向において異なる第１の段と第２の段に配されており、
前記第１のマウントに前記第２のマウントが結合された状態で、前記複数の接点面のうち、前記第２の段に含まれる互いに隣接する接点面同士の距離が、前記第１の段に含まれる互いに隣接する接点面同士の距離以上であることを特徴とする請求項１３乃至１６の何れか一項に記載のアクセサリ。
【請求項１８】
前記複数の接点面における、互いに隣り合う接点面同士の距離は、互いに隣り合う前記接点面の中心間の距離であることを特徴とする請求項１７に記載の撮像装置。
【請求項１９】
前記複数の接点面における、互いに隣り合う接点面同士の距離は、互いに隣り合う前記接点面の導通部分同士の距離であることを特徴とする請求項１７に記載の撮像装置。
【請求項２０】
前記複数の接点面における、互いに隣り合う接点面同士の距離は、前記撮像装置に前記アクセサリが装着された状態で、互いに隣り合う前記接点面および前記接点ピンの接続点間の距離であることを特徴とする請求項１７に記載の撮像装置。
【請求項２１】
前記第２のマウントの円周方向において、前記第２の接点面と当該第２の接点面と隣接する接点面とがなす角度が、前記第３の接点面と当該第３の接点面と隣接する接点面とがなす角度よりも大きいことを特徴とする請求項１３乃至２０の何れか一項に記載のアクセサリ。
【請求項２２】
前記第１の接点面は、前記アクセサリと前記撮像装置との通信に用いる端子であって、前記第２の接点面は、前記撮像装置から前記アクセサリへの電源供給に用いる端子であって、
前記第３の接点面は、前記第２の接点面に対応したグランド端子であることを特徴とする請求項１３乃至２１の何れか一項に記載のアクセサリ。
【請求項２３】
前記第２の接点面は、前記第１のマウントと前記第２のマウントとのバヨネット結合のための相対的な回転方向において、前記第１のマウント側に設けられた複数の接点ピンと最初に接触する接点面であって、
前記第３の接点面は、前記第１のマウントと前記第２のマウントとのバヨネット結合のための相対的な回転方向において、前記第１のマウント側に設けられた前記複数の接点ピンと最後に接触する接点面であることを特徴とする請求項１３乃至２２の何れか一項に記載のアクセサリ。
【請求項２４】
前記アクセサリにバヨネット結合された状態の前記撮像装置の前記正位置において、前記第２のマウント中心線を基準として前記第２のマウントを２つの領域に分けて、前記重力方向が含まれる領域を下側その反対側の領域を上側とし、前記複数の接点面は、前記下側の領域に含まれることを特徴とする請求項１３乃至２３の何れか一項に記載の撮像装置。
【手続補正２】
【補正対象書類名】明細書
【補正対象項目名】００１２
【補正方法】変更
【補正の内容】
【００１２】
上記目的を達成するために、本発明の撮像装置は、アクセサリに設けられた第１のマウントとバヨネット結合できる第２のマウントを有する撮像装置であって、前記第２のマウントは、前記第２のマウントが前記第１のマウントとバヨネット結合したときに前記第１のマウントに設けられた複数の接点面と電気的に接続されるように前記第２のマウントの円周方向に沿って配された、少なくとも４つ以上の偶数個である複数の接点ピンを有し、正位置における前記撮像装置を前記第２のマウント側から見た場合に、前記第２のマウントの中心軸ら重力方向および当該重力方向とは反対方向に延びる線を第１のマウント中心線とし、前記中心軸を通り前記第１のマウント中心線と略直交する線を第２のマウント中心線とし、前記複数の接点ピンは、互いに隣り合う接点ピン同士の距離が異なる接点ピンの組を含み、前記複数の接点ピンは、前記第２のマウントの径方向において、前記第１のマウント中心線と重畳する第１の接点ピンを含み、前記複数の接点ピンは、前記第２のマウントの円周方向における両端に位置し、前記第２のマウント中心線までの距離が略同一である第２の接点ピンおよび第３の接点ピンを含むことを特徴とする。